(57)【要約】      （修正有）【課題】従来の簡単な工作技術で、低コストで製造でき、今までのボルト・ナットのサイズ等の規格がそのまま利用でき、強い振動にも緩まないボルト、ナット（ネジ）を実現する。【解決手段】ナット１にはボルト６とボルト９を回転して締める右回り（又は左回り）のネジ山２とその反対回りのネジ山３を備えている。工作物等４をナット１とボルト６で締め付けた後、ボルト９でボルト６を締め付ける。ナット１が緩もうと回転した場合、ボルト６とボルト９のネジ山の回転方向が反対方向のため、お互いに回転する力が打ち消し合いナット１は緩まない。ボルト６が緩もうとした場合、ボルト９を同じ方向に回転させようとすると、ボルト９は、ナット１のネジ山３にそって回転するため、ボルト６を締め付け、結果として、ボルト６は締め付けられて、回転できない。ボルト６とボルト９の接触する頭の側面部分は摩擦抵抗を大きくするために、不規則に凹凸８をつける。【選択図】図１
2009204153.tif 000002
【特許請求の範囲】
【請求項１】
ナット１の円柱の内側部分を大と小の２つの円形の溝を掘り、大きい円形の部分に右回り（又は左回り）のネジ山２の部分をつけ、小さい円形の部分には、ネジ山２とは違う反対回りのネジ山３を付けた円柱ナット。  ［図２］参照
【請求項２】
摩擦抵抗を大きくするために凹凸８をボルト６の頭の外側につけた円柱ボルト。  ［図３］参照
【請求項３】
摩擦抵抗を大きくするために凹凸８をボルト９の頭部の内側につけたボルト。  ［図４］参照
【発明の詳細な説明】
【技術分野】
【０００１】本発明は、ボルトに締め付けたナットが緩む時は、ナットは回転して緩みます。
ナットの内側に大と小の２つの円形の溝を掘り、その部分に右まわりと左回りのネジ山をつける。そのナットに差し込むボルト２本に右回りと左回りのネジ山をつけることによってナットは回転することはできなくなる。次に、２本のボルトが、ナットから緩もうとすると右回りのボルトは左回りに、左回りのボルトは右回りに回転を始めようとするが、ボルトの頭部分が接触しているため、お互いに回転運動が打ち消し合いボルトも動かなくなるという、振動にも強い緩まないネジに関するものです。
【背景技術】
【０００２】従来のボルトとナットは強い力で締め付けたあと、強い振動を受けた場合、その締め付けた強い力が、その反動として、ネジの原理からして当然その反発力が同じ力でナットを緩ませようと働き、僅かなきっかけでナットは緩み始めていた。ナットを緩まなくさせるために、スプリングワッシャーや菊ワッシヤーをボルトとナットの間に入れて緩まないようにする。これは、期待したほど、効果は無かった。そのほか、接着剤でボルトとナットを接着する、ナットを別の固定板等で固定し回らなくする、ボルトとナットに穴をあけ、緩み止めとしてピンを挿入しボルトとナットを固定し、回らなくする等の工夫がされていた。
これらは、いずれの方法も、製造工程又は組立工程が多くなり、加工等の複雑さが伴いコストアップとなっていた。
【発明の開示】
【発明が解決しようとする課題】
【０００３】本発明は、従来の工作技術をそのまま活用し、簡単に製造ができること。又、今までのボルトやナットのサイズ、ピッチ等の規格を利用すること等を考え継続的な振動にも緩まないボルトとナット（ネジ）を実現するものです。
【課題を解決するための手段】
【０００４】振動でも緩まないナットとボルト（ネジ）は、図１に示すように、ナット１にはボルト６とボルト９を回転して締めこむことができる内側のナット部分の右回り（又は左回り）のネジ山２とネジ山２とは違う反対回りのネジ山３を備えている。
ボルト６の外形部分には、ネジ山２と同じ回りのネジ山５をつけ、ボルト９の外形部分には、ネジ山３と同じ回りのネジ山７をつけている。
又、ボルト６とボルト９の接触する頭の側面部分は摩擦抵抗を大きくするために、不規則に凹凸８をつけている。
ナット１の内側のナット部分の右回り（又は左回り）のネジ山２と同じ方向のネジ山５を付けたボルト６で工作物等４を挟んで、締めつける。
次に、ボルト６の上からボルト６とは違う反対回りのネジ山７をつけたボルト９をナット１のネジ山３に入れて締めつける。
ナット１が緩もうとすると、ボルト６に対しての緩むための回転方向とボルト９に対しての緩むための回転方向が全く違う反対方向の回転方向となるため、お互いに回転する力が打ち消し合いナット１は緩むことができないのである。
ボルト６が緩むときの回転方向とボルト９が緩むときの回転方向は、ネジ山５とネジ山７が常に反対方向のため、工作物をボルト６とナット１で締め付けた後、振動等でボルト６が緩もうと回転した場合、その動きは、ボルト９に伝えられ、ボルト９を同じ方向に回転させようとすると、ボルト９は、ナット１のネジ山３にそって回転するため、緩むのではなく、ボルト６を締め付けることになる。結果として、ボルト６は締め付けられて、緩むための回転ができなくなってしまう。
つまり、強い振動等を受けたボルト６はナット１のネジ山２に沿って回転し緩むというボルト６の性質とナット１の内径部分にもう一つ、ネジ山２とは違う反対回りの内側のネジ山３をつくりネジ山３に沿って回転して緩むボルト９の性質を利用して、ボルト６の回転とボルト９の回転がお互いに反対回りのため回転する力が打ち消し合い、ボルト６とボルト９は緩まないのである。
【発明の効果】
【０００５】従来は、ナットを緩まなくするため、強い力で締めていた。そのため、締める力が強すぎると、ネジ山を壊していた。又、イ．緩まなくするために、接着剤をボルトとナットにつけ固めたり、ナットを別の固定板等で固定し動かなくしたり、ボルトとナットに穴をあけ、ピンを挿入し緩まなくしたりしていた。ロ．簡単な方法としては、スプリングワッシャやナイロン入りナット等で緩み防止を図っていた。イの方法は、いづれも、組立て作業工程と部品が別途かかりコストアップになっていた。ロの方法は、完全にはナットの緩みは防げなかった。
本発明は、従来のボルトの規格サイズを変更することなく、ナット１の内側に、反対回りの２種類のネジ山２とネジ山３をつける。そのナット１にボルト６を差し込み回転させ工作物４を締めつける。次に、ボルト６の上からボルト６とは違う反対回りのネジ山７をつけたボルト９をナット１のネジ山３に入れて締めつける。
ナット１が緩もうとすると、ボルト６に対しての緩むための回転方向とボルト９に対しての緩むための回転方向が全く違う反対方向の回転方向となるため、お互いに回転する力が打ち消し合いナット１は緩むことができないのである。
ボルト６が緩むときの回転方向とボルト９が緩むときの回転方向は、ネジ山５とネジ山７が常に反対方向のため、工作物をボルト６とナット１で締め付けた後、振動等でボルト６が緩もうと回転した場合、その動きは、ボルト９に伝えられ、ボルト９を同じ方向に回転させようとすると、ボルト９は、ナット１のネジ山３にそって回転するため、緩むのではなく、ボルト６を締め付けることになる。結果として、ボルト６は締め付けられて、緩むための回転ができなくなってしまう。
従来の強い力だけで締めているナットでは、強い、連続した振動では、僅かなきっかけでナットは緩み始めることもあった。本発明は、緩むことを前提において、ナット１の回転、ボルト６とボルト９の回転がお互いに反対回りのため回転する力が打ち消し合う作用を利用したものである。
本発明の効果としては、強い力でしめる作業では、ネジ山を壊すギリギリのところで止める、熟練度は必要がなくなる。通常の力で誰でも簡単に締めることができる。特に、振動が連続、又は断続的に起こる個所の工程では、ナット１の回転はボルト６とボルト９によって止まり、ボルト６の回転はボルト９によって止まり、緩むことが無いため、産業上、おおいに活用される。従来のボルトの長さ、大きさ等をそのまま継承するため、従来のボルトとナット（ネジ）を部品として、製品を製造している場合でも、生産工程を変更することなく、本発明のボルトとナット（ネジ）をそのまま活用することができる。
【発明を実施するための最良の形態】
【０００６】本発明に係る振動でも緩まないボルトとナット（ネジ）は、図１に示すように、ナット１にはボルト６を回転して差し込むことができる内側のナット部分のネジ山２とボルト９を回転して差し込むことができる内側のナット部分のネジ山３を備えている。
ボルト６の外形部分には、右回り（又は左回り）のネジ山５がつけられている。ナット部分のネジ山２とボルト６のネジ山５は同じ回り。ボルト９は、ボルト６とは違う反対回りのネジ山７がつけられている。ナット部分のネジ山３とボルト９のネジ山７は同じ回り。
ナット１とボルト６の外形部分のネジ山５と同じ方向のネジ山を付けたナット１のネジ山２で工作物４を締めつける。次に、摩擦抵抗を大きくするためにボルト６の頭につけた突起部分の上からボルト６の穴に沿ってボルト９を差込みナット１のネジ山３に差込み回転させ、ボルト６の頭部分とボルト９の頭部分が密着するように締めつける。
ナット１が緩もうとすると、ボルト６とボルト９に対して緩むための回転方向が全く反対のためお互いに回転する力が打ち消し合いナット１は緩むことができないのである。
工作物４を締め付けたボルト６が緩んで回転しょうとすると、その動きは、ボルト９に伝えられる。ボルト９が、同じ方向に回転すると、ボルト９はナット１の内側部分のネジ山２とは違う反対回りのネジ山３を付けた内側のナットに差し込んでいるため、ボルト９の回転は、緩むのではなく、反対にボルト６を締め付ける動きとなる。
その結果、ボルト６の回転は、ボルト９の回転によって打ち消し合い、又、ボルト９の回転はボルト６の回転によって打ち消し合い、お互いにボルト６とボルト９は緩まないのである。
【産業上の利用可能性】
【０００７】本発明に係るボルトとナット（ネジ）は、工業的に量産する事が可能であるため、産業上の利用可能性を有する。
【図面の簡単な説明】
【０００８】
【図１】本発明の実施例を示すための斜視図。
【図２】ナット１の側面図と正面図  ナット１の内側部分には右回り（又は左回り）のネジ山２をつける。さらにネジ山２の内側部分には、ネジ山２とは違う反対回りのネジ山３をつける。内側部分の長さ及び内径は、工作物４の厚さ等によって変える。又、ネジ山２とネジ山３のピッチは工作物によって変える。ナット１はボルト６とボルト９の２種類のネジ山部分を備えたナットです。
【図３】ボルト６の側面図と正面図  ボルト６のネジ山５は、ナット１のネジ山２と同じ方向のネジ山ボルトの頭部の外側に不規則に凹凸８をつけている。ボルト６の中心部分は頭から先端まで、空洞となっており、ボルト９のネジ山部分が貫通できるようにしている。
【図４】ボルト９の正面図と側面図  ボルト９のネジ山７は、ナット１のネジ山３と同じ方向のネジ山ボルトの頭部の内側に不規則に凹凸８をつけている。ボルト９のネジ山７はボルト６のネジ山５とは反対回りのネジ山。
【図５】使用した時の状態を示す断面図。工作物４を挟みつけるための、ナット１とボルト６と反回転ボルト９の組み立て構造図です。ナットとボルトの長さと大きさ等は挟む工作物の厚さ等によって変わる。又、ボルト６の頭の外側部分とボルト９の頭の内側部分には摩擦抵抗を大きくするために不規則に凹凸８をつけている。
【符号の説明】
【０００８】１    内側に２種類のネジ山部分をもっているナット本体。
２    右回り（又は左回り）のネジ山。
３    ２のネジ山とは違う反対回りのネジ山。
４    工作物
５    ２のネジ山と同じ方向のネジ山
６    ボルト９のネジ山部分が貫通できるようにボルトの頭から先端まで穴があいており、５のネジ山をつけたボルト。
７    ２のネジ山と５のネジ山とは違う反対回りのネジ山。
８    摩擦抵抗の大きくするための凹凸部分
９    ６のボルトとは違う反対回りのネジ山をつけたボルト
【図１】
2009204153.tif 000003
【図２】
2009204153.tif 000004
【図３】
2009204153.tif 000005
【図４】
2009204153.tif 000006
【図５】
2009204153.tif 000007